(57)【特許請求の範囲】
【請求項１】
足場支柱の間にＸ字状に配設される２本の斜材と、前記足場支柱の間に架設される水平材と、前記水平材の両端に備えられるとともに前記斜材に軸着され前記足場支柱に設けられた上側くさび受けに対して取り外し可能に係着される上側連結部と、前記斜材のそれぞれの下端部に備えられるとともに前記足場支柱に設けられた下側くさび受けに対して取り外し可能に係着される下側連結部とを備える仮設足場用筋交いにおいて、
前記上側連結部は、ブラケット部を介して前記水平材の端部を支持する進退端部と、前記上側くさび受けに係着する上側くさび脚部と該上側くさび脚部に直交し前記足場支柱反対側に延長する上側くさび本体部を備える上側くさび部材と、前記斜材の上端部、前記進退端部、及び前記上側くさび部材を貫通してこれらを軸支する第１ピン部材と、前記進退端部及び前記上側くさび部材を貫通する第２ピン部材を有し、
前記進退端部は、前記第１ピン部材及び前記第２ピン部材が貫通する水平方向に形成された溝穴部を備え、前記第１ピン部材及び前記第２ピン部材が前記溝穴部を移動することにより前記水平材に対して前記上側くさび部材が第１位置と第２位置を進退移動可能に取り付けられており、
前記下側連結部は、前記上側くさび部材の第１位置と第２位置の進退移動に対応して前記斜材を第１位置または第２位置のいずれかの位置で固定する下側固定部を有するとともに、前記下側くさび受けに係着する下側くさび部材を備える
ことを特徴とする仮設足場用筋交い。
【請求項２】
前記水平材の先端部分に前記足場支柱のための当て板部を有する請求項１に記載の仮設足場用筋交い。
【請求項３】
前記進退端部が、前記上側くさび本体部を上下から挟持するくさび部材上保持部及びくさび部材下保持部を備える請求項１又は２に記載の仮設足場用筋交い。
【請求項４】
前記下側固定部が、固定棒部材と、前記固定棒部材が挿通する前記下側連結部に設けられた固定穴部と、前記斜材の下端部に設けられた斜材穴部とを有する請求項１ないし３のいずれか１項に記載の仮設足場用筋交い。
【請求項５】
前記斜材穴部が第１斜材穴部と該第１斜材穴部より大径の第２斜材穴部からなり、
前記下側連結部において前記斜材が第１位置となる場合の前記第１斜材穴部及び前記第２斜材穴部に対応する位置の前記固定穴部として第１固定穴部と該第１固定穴部より大径の第２固定穴部を備え、かつ、前記下側連結部において前記斜材が第２位置となる場合の前記第１斜材穴部及び前記第２斜材穴部に対応する位置の前記固定穴部として第３固定穴部と該第３固定穴部より大径の第４固定穴部を備える請求項４に記載の仮設足場用筋交い。
【請求項６】
前記固定棒部材が、第１斜材穴部と第１固定穴部もしくは第３固定穴部との固定に用いる第１固定棒部材と、第２斜材穴部と第２固定穴部もしくは第４固定穴部との固定に用いる第２固定棒部材とからなる請求項５に記載の仮設足場用筋交い。
【請求項７】
前記下側連結部の下側固定部に支持ピン部が設けられ、
前記斜材の下端部には、前記支持ピン部が係着されて前記斜材を前記第１位置で固定する第１係着部と、前記支持ピン部が係着されて前記斜材を前記第２位置で固定する第２係着部と、前記支持ピン部が摺動可能なように前記第１係着部と前記第２係着部とを連接する下溝部とが形成されている請求項１ないし３のいずれか１項に記載の仮設足場用筋交い。
【発明の詳細な説明】
【技術分野】
【０００１】
本発明は、仮設足場用筋交いに関する。
【背景技術】
【０００２】
建築物等の工事等に際し、建築物の外周に仮設足場が設置される。この場合、まず複数本の支柱が所定間隔で配置される。各支柱間に足場板が架設されて一の階層の足場が形成される。そして、上方に支柱が順次継ぎ足され同様に足場板は架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材を配置する場合、仮設足場用筋交いが足場支柱のくさび受け（ホルダー）に対して取り外し可能に係着される。一般的な足場支柱の場合、図１４に示すように、当該支柱の周囲に９０°ずつ４箇所配置される（例えば特許文献１の図面等参照）。具体的には、上側くさび受け２は２ａ，２ｂ，２ｃ，２ｄから構成され、下側くさび受け３は３ａ，３ｂ，３ｃ，３ｄから構成される。上下のくさび受けは同形状である。図１４に開示のくさび受けに斜材、水平材等を係着させる場合、斜材、水平材等は２本の足場支柱間で対向するくさび受け同士（例えば２ａと２ｃの間）に係着される（特許文献１参照）。あるいは、斜材、水平材等は対向位置にあるくさび受けの左右いずれかのくさび受け同士（例えば３ｂと３ｂの間）に係着される（例えば、特許文献２、３、４等参照）。
【０００４】
足場支柱間に架設される斜材、水平材等においては、足場支柱のくさび受けに対して強固かつ簡便な係着のための改良が進められてきた（同特許文献２、３、４等参照）。しかしながら、斜材、水平材等と、これを受け入れるくさび受けの対応関係は固定化されているのが現実である。このため、仮設足場を施工する建築物の構造、現場における作業性等を勘案して、斜材、水平材等の係着に用いるくさび受けを柔軟に選択したいとの要望がある。また、現状、使用するくさび受けの位置に応じて斜材や水平材等の資材を調達しているため煩雑である。
【０００５】
そこで、仮設足場用筋交いに備えられる斜材や水平材の側で足場支柱のくさび受けの取り付け位置の選択を可能とし、建築物の構造や現場作業に柔軟に対応可能な筋交いの構成が望まれるに至った。
【先行技術文献】
【特許文献】
【０００６】
【特許文献１】特開２００８−２６１１５０号公報
【特許文献２】特開２００８−６３９０３号公報
【特許文献３】特開２００８−７５３０５号公報
【特許文献４】特開２００８−２１４９９４号公報
【発明の概要】
【発明が解決しようとする課題】
【０００７】
本発明は前記の点に鑑みなされたものであり、斜材や水平材の側で足場支柱のくさび受けの選択を可能とする構成を備え、足場支柱のくさび受け選択の自由度を高め、建築物の構造や現場作業に柔軟に対応することができる仮設足場用筋交いを提供するものである。
【課題を解決するための手段】
【０００８】
すなわち、請求項１の発明は、足場支柱の間にＸ字状に配設される２本の斜材と、前記足場支柱の間に架設される水平材と、前記水平材の両端に備えられるとともに前記斜材に軸着され前記足場支柱に設けられた上側くさび受けに対して取り外し可能に係着される上側連結部と、前記斜材のそれぞれの下端部に備えられるとともに前記足場支柱に設けられた下側くさび受けに対して取り外し可能に係着される下側連結部とを備える仮設足場用筋交いにおいて、前記上側連結部は、ブラケット部を介して前記水平材の端部を支持する進退端部と、前記上側くさび受けに係着する上側くさび脚部と該上側くさび脚部に直交し前記足場支柱反対側に延長する上側くさび本体部を備える上側くさび部材と、前記斜材の上端部、前記進退端部、及び前記上側くさび部材を貫通してこれらを軸支する第１ピン部材と、前記進退端部及び前記上側くさび部材を貫通する第２ピン部材を有し、前記進退端部は、前記第１ピン部材及び前記第２ピン部材が貫通する水平方向に形成された溝穴部を備え、前記第１ピン部材及び前記第２ピン部材が前記溝穴部を移動することにより前記水平材に対して前記上側くさび部材が第１位置と第２位置を進退移動可能に取り付けられており、前記下側連結部は、前記上側くさび部材の第１位置と第２位置の進退移動に対応して前記斜材を第１位置または第２位置のいずれかの位置で固定する下側固定部を有するとともに、前記下側くさび受けに係着する下側くさび部材を備えることを特徴とする仮設足場用筋交いに係る。
【０００９】
請求項２の発明は、前記水平材の先端部分に前記足場支柱のための当て板部を有する請求項１に記載の仮設足場用筋交いに係る。
【００１０】
請求項３の発明は、前記進退端部が、前記上側くさび本体部を上下から挟持するくさび部材上保持部及びくさび部材下保持部を備える請求項１又は２に記載の仮設足場用筋交いに係る。
【００１１】
請求項４の発明は、前記下側固定部が、固定棒部材と、前記固定棒部材が挿通する前記下側連結部に設けられた固定穴部と、前記斜材の下端部に設けられた斜材穴部とを有する請求項１ないし３のいずれか１項に記載の仮設足場用筋交いに係る。
【００１２】
請求項５の発明は、前記斜材穴部が第１斜材穴部と該第１斜材穴部より大径の第２斜材穴部からなり、前記下側連結部において前記斜材が第１位置となる場合の前記第１斜材穴部及び前記第２斜材穴部に対応する位置の前記固定穴部として第１固定穴部と該第１固定穴部より大径の第２固定穴部を備え、かつ、前記下側連結部において前記斜材が第２位置となる場合の前記第１斜材穴部及び前記第２斜材穴部に対応する位置の前記固定穴部として第３固定穴部と該第３固定穴部より大径の第４固定穴部を備える請求項４に記載の仮設足場用筋交いに係る。
【００１３】
請求項６の発明は、前記固定棒部材が、第１斜材穴部と第１固定穴部もしくは第３固定穴部との固定に用いる第１固定棒部材と、第２斜材穴部と第２固定穴部もしくは第４固定穴部との固定に用いる第２固定棒部材とからなる請求項５に記載の仮設足場用筋交いに係る。
【００１４】
請求項７の発明は、前記下側連結部の下側固定部に支持ピン部が設けられ、前記斜材の下端部には、前記支持ピン部が係着されて前記斜材を前記第１位置で固定する第１係着部と、前記支持ピン部が係着されて前記斜材を前記第２位置で固定する第２係着部と、前記支持ピン部が摺動可能なように前記第１係着部と前記第２係着部とを連接する下溝部とが形成されている請求項１ないし３のいずれか１項に記載の仮設足場用筋交いに係る。
【発明の効果】
【００１５】
請求項１の発明に係る仮設足場用筋交いによると、足場支柱の間にＸ字状に配設される２本の斜材と、前記足場支柱の間に架設される水平材と、前記水平材の両端に備えられるとともに前記斜材に軸着され前記足場支柱に設けられた上側くさび受けに対して取り外し可能に係着される上側連結部と、前記斜材のそれぞれの下端部に備えられるとともに前記足場支柱に設けられた下側くさび受けに対して取り外し可能に係着される下側連結部とを備える仮設足場用筋交いにおいて、前記上側連結部は、ブラケット部を介して前記水平材の端部を支持する進退端部と、前記上側くさび受けに係着する上側くさび脚部と該上側くさび脚部に直交し前記足場支柱反対側に延長する上側くさび本体部を備える上側くさび部材と、前記斜材の上端部、前記進退端部、及び前記上側くさび部材を貫通してこれらを軸支する第１ピン部材と、前記進退端部及び前記上側くさび部材を貫通する第２ピン部材を有し、前記進退端部は、前記第１ピン部材及び前記第２ピン部材が貫通する水平方向に形成された溝穴部を備え、前記第１ピン部材及び前記第２ピン部材が前記溝穴部を移動することにより前記水平材に対して前記上側くさび部材が第１位置と第２位置を進退移動可能に取り付けられており、前記下側連結部は、前記上側くさび部材の第１位置と第２位置の進退移動に対応して前記斜材を第１位置または第２位置のいずれかの位置で固定する下側固定部を有するとともに、前記下側くさび受けに係着する下側くさび部材を備えるため、斜材や水平材の側で足場支柱のくさび受けの選択を可能とする構成を備え、足場支柱のくさび受け選択の自由度を高め、建築物の構造や現場作業に柔軟に対応することができる。また、仮設足場用筋交い自体が足場支柱のくさび受けの位置に対応できるため、個々の足場支柱のくさび受けの位置に合わせて資材を用意することなく、資材量の抑制も可能となる。さらに、水平材を進退端部より高い位置に設置することができる。
【００１６】
請求項２の発明に係る仮設足場用筋交いによると、請求項１において、前記水平材の先端部分に前記足場支柱のための当て板部を有するため、仮設足場用筋交いの設置時に足場支柱が内側（水平材側）へ傾倒することを抑制することができる。
【００１７】
請求項３の発明に係る仮設足場用筋交いによると、請求項１又は２において、前記進退端部が、前記上側くさび本体部を上下から挟持するくさび部材上保持部及びくさび部材下保持部を備えるため、上側くさび部材は水平方向のみの移動に規制される。このため、上側くさび部材の保持性能は良くなり、上側くさび部材の第１位置と第２位置の移動が円滑となり仮設足場用筋交いの取り扱いの利便性が高まる。
【００１８】
請求項４の発明に係る仮設足場用筋交いによると、請求項１ないし３において、前記下側固定部が、固定棒部材と、前記固定棒部材が挿通する前記下側連結部に設けられた固定穴部と、前記斜材の下端部に設けられた斜材穴部とを有するため、比較的単純な構造により、斜材に生じる位置ずれに容易に対応することができるができる。
【００１９】
請求項５の発明に係る仮設足場用筋交いによると、請求項４において、前記斜材穴部が第１斜材穴部と該第１斜材穴部より大径の第２斜材穴部からなり、前記下側連結部において前記斜材が第１位置となる場合の前記第１斜材穴部及び前記第２斜材穴部に対応する位置の前記固定穴部として第１固定穴部と該第１固定穴部より大径の第２固定穴部を備え、かつ、前記下側連結部において前記斜材が第２位置となる場合の前記第１斜材穴部及び前記第２斜材穴部に対応する位置の前記固定穴部として第３固定穴部と該第３固定穴部より大径の第４固定穴部を備えるため、斜材が誤った位置で固定されることを防止することができる。
【００２０】
請求項６の発明に係る仮設足場用筋交いによると、請求項５において、前記固定棒部材が、第１斜材穴部と第１固定穴部もしくは第３固定穴部との固定に用いる第１固定棒部材と、第２斜材穴部と第２固定穴部もしくは第４固定穴部との固定に用いる第２固定棒部材とからなるため、固定棒部材の取り違えを防止して安全かつ確実に固定することができる。
【００２１】
請求項７の発明に係る仮設足場用筋交いによると、請求項１ないし３において、前記下側連結部の下側固定部に支持ピン部が設けられ、前記斜材の下端部には、前記支持ピン部が係着されて前記斜材を前記第１位置で固定する第１係着部と、前記支持ピン部が係着されて前記斜材を前記第２位置で固定する第２係着部と、前記支持ピン部が摺動可能なように前記第１係着部と前記第２係着部とを連接する下溝部とが形成されているため、比較的単純な構造により、斜材に生じる位置ずれに容易に対応することができるができる。
【図面の簡単な説明】
【００２２】
【図１】本発明の一実施例に係る仮設足場用筋交いの正面図である。
【図２】上側連結部付近の主要上面図である。
【図３】上側連結部の主要部分解斜視図である。
【図４】上側連結部の主要部縦断面図である。
【図５】水平材と足場支柱との位置関係を表した概略上面図である。
【図６】上側くさび部材の第１位置を示す上側連結部の正面図である。
【図７】上側くさび部材の第２位置を示す上側連結部の正面図である。
【図８】斜材の第１位置を示す下側連結部の正面図である。
【図９】図８の下側連結部付近の主要上面図である。
【図１０】斜材の第２位置を示す下側連結部の正面図である。
【図１１】図１０の下側連結部付近の主要上面図である。
【図１２】斜材の第１位置を示す他の実施例に係る下側連結部の正面図である。
【図１３】斜材の第２位置を示す他の実施例に係る下側連結部の正面図である。
【図１４】足場支柱の斜視図である。
【発明を実施するための形態】
【００２３】
図１〜図４に示す本発明の一実施例に係る仮設足場用筋交い１０は、２本の斜材１１，１１と、水平材１２と、上側連結部２０と、下側連結部５０とを備える。実施例において、足場支柱１の上側くさび受け２（２ａ，２ｂ，２ｃ，２ｄ）及び下側くさび受け３（３ａ，３ｂ，３ｃ，３ｄ）の配置、構造は、背景技術にて開示した図１４の足場支柱１におけるくさび受けの構造と同様である。また、上側くさび受け２と下側くさび受け３は同形状である。本明細書においては説明の便宜上、足場支柱１のくさび受け２，３を上下で区別している。
【００２４】
２本の斜材１１，１１は、足場支柱１，１の間に交差してＸ字状に配設される。
【００２５】
水平材１２は、足場支柱１，１の間に架設されるものであり、パイプ状に形成される。
【００２６】
上側連結部２０は、水平材１２の両端に備えられるとともに斜材１１，１１に軸着され、足場支柱１，１に設けられた上側くさび受け２（２ａ，２ｂ，２ｃ，２ｄ）に対して取り外し可能に係着されるものであり、図２〜図４に示すように、進退端部３０と、上側くさび部材４０とを有する。この上側連結部２０では、進退端部３０、上側くさび部材４０の順に摺動自在に重ね合わせて配置される。図２〜図４において、符号２１は斜材１１の上端部１１Ａ、進退端部３０、及び上側くさび部材４０を貫通してこれらを軸支する第１ピン部材、２２は進退端部３０及び上側くさび部材４０を貫通する第２ピン部材、２５は第１ピン部材２１及び第２ピン部材２２により斜材１１の上端部１１Ａと進退端部３０と上側くさび部材４０とを軸支するための補助板部材、２６は補助板部材２５に形成された第１ピン部材２１のための軸支穴、２７は補助板部材２５に形成された第２ピン部材２２のための軸支穴である。
【００２７】
進退端部３０は、図１，３に示すように、水平材１２の端部を支持する。この進退端部３０は、図３に示すように、第１ピン部材２１及び第２ピン部材２２が貫通する水平方向に形成された長穴となる溝穴部３１，３２を備え、第１ピン部材２１及び第２ピン部材２２が溝穴部３１，３２を移動することにより水平材１２に対して後述する上側くさび部材４０が第１位置と第２位置を進退移動可能に取り付けられている。また、図４に示すように、上側くさび部材４０（後述する上側くさび本体部４１）を上下から挟持するくさび部材上保持部３３及びくさび部材下保持部３４を備える。実施例の進退端部３０は、側面視略コ字状をなしている。
【００２８】
上記進退端部３０は、水平材１２の端部を支持することが可能であれば、水平材１２の両端に直線状に設ける等適宜の構造とすることができる。実施例の進退端部３０は、図１〜３，５，６に示すように、ブラケット部３５を介して水平材１２を支持するように構成される。ブラケット部３５としては、図示のように、進退端部３０から直上方向に形成してもよいし、斜め方向に形成してもよい。ブラケット部３５を介して水平材１２を支持することにより、水平材１２を進退端部３０より高い位置に設置することができる。また、ブラケット部３５と水平材１２は溶接することが好ましい。なお、図中の符号３６は水平材１２を支持するためにブラケット部３５上端部に円弧状に形成された水平材支持部である。
【００２９】
また、水平材１２がブラケット部３５を介して支持される場合には、仮設足場用筋交い１０の設置時に足場支柱１，１が内側（水平材１２側）へ傾倒することを抑制するために、図３，５に示すように、水平材１２の先端部分に足場支柱１のための当て板部１３を設けることが好ましい。当て板部１３は、後述する上側くさび部材４０の第１位置または第２位置のいずれの場合でも足場支柱１の内側に近接して足場支柱１が傾倒した際に支持することが可能なように幅広に形成された板面部１４を有する。実施例の当て板部１３は、上面視略Ｌ字状に形成されており、足場支柱１の前側への傾倒も抑制することができる。
【００３０】
上側くさび部材４０は、図３，４に示すように、上側くさび受け２に係着する上側くさび脚部（上短脚部４２，上長脚部４３）と該上側くさび脚部４２，４３に直交し足場支柱１反対側に延長する上側くさび本体部４１を備える。この上側くさび部材４０は、上側くさび本体部４１に第１ピン部材２１及び第２ピン部材２２が貫通する水平方向に形成された軸支穴４６，４７を備える。図において、符号４４は上側くさび脚部４２，４３の間に形成され上側くさび脚部４２，４３が上側くさび受け２に差し込まれた際に上側くさび受け２を挟持する上脚間部、４５は上長脚部３３の先端に形成され上側くさび受け２と上側くさび部材４０との固定性（引っかかり具合）を向上させるための鉤部である。
【００３１】
図６及び図７の主要部正面図を用い上側連結部２０の上側くさび部材４０における第１位置と第２位置の関係を説明する。図６に示す上側くさび部材４０の第１位置は、第１ピン部材２１及び第２ピン部材２２が進退端部３０の溝穴部３１，３２の前側（足場支柱１側）に移動したことに伴って前側（足場支柱１側）に前進された位置であり、水平材１２の両端に配された上側くさび部材４０，４０同士の間隔が所定量伸ばされた状態となる。その際、第１ピン部材２１及び第２ピン部材２２が貫通している補助板部材２５も同様に前進される。上側くさび部材４０の第１位置では、上側連結部２０が足場支柱１，１間で対向する上側くさび受け２のうち側方に配置された上側くさび受け２ｂ，２ｂ（図１４参照）に係着され、水平材１２が足場支柱１に対して側方に位置する（図５（ａ）参照）。
【００３２】
図７に示す上側くさび部材４０の第２位置は、第１ピン部材２１及び第２ピン部材２２が進退端部３０の溝穴部３１，３２の後側（水平材１２側）に移動したことに伴って後側（水平材１２側）に後退された位置であり、水平材１２の両端に配された上側くさび部材４０，４０同士の間隔が前記の第１位置のときよりも所定量縮められた状態となる。その際、第１ピン部材２１及び第２ピン部材２２が貫通している補助板部材２５も同様に後退される。上側くさび部材４０の第２位置では、上側連結部２０が足場支柱１，１間で対向する上側くさび受け２のうち相対して配置された上側くさび受け２ｃ，２ａ（図１４参照）に係着され、水平材１２が足場支柱１に対して内側に位置する（図５（ｂ）参照）。
【００３３】
なお、上側くさび部材４０が水平方向に第１位置と第２位置で移動する際には、進退端部３０のくさび部材上保持部３３及びくさび部材下保持部３４により、上下方向や回動方向の移動、がたつき等が抑制され、水平方向のみに双方の移動が規制される。このため、上側くさび部材４０の保持性能は良くなり、上側くさび部材４０の第１位置と第２位置の移動が円滑となることにより仮設足場用筋交い１０の取り扱いの利便性が高まる。また、斜材１１は、第１ピン部材２１を回動軸として適宜回動することにより、傾斜角度が微調整される。
【００３４】
下側連結部５０は、斜材１１，１１のそれぞれの下端部１１Ｂ，１１Ｂに備えられるとともに足場支柱１，１に設けられた下側くさび受け３に対して取り外し可能に係着されるものであり、図８〜図１１に示すように、下側固定部６０を有するとともに、下側くさび部材８０を備える。図において、符号６１，６２は梁部６３（板連結部）により連結された下側連結部５０の２枚の本体板部、６４は本体板部６１，６２の中央に同本体板部６１，６２を貫通するくさび保持部である。
【００３５】
下側固定部６０は、上側くさび部材４０の第１位置と第２位置の進退移動に対応して斜材１１を後述する第１位置または第２位置のいずれかの位置で固定するものであって、斜材１１の下端部１１Ｂに設けられた斜材穴部５１と、固定棒部材７０と、固定棒部材７０が挿通する下側連結部５０に設けられた固定穴部７５とを有する。実施例において、斜材穴部５１は、図８，１０に示すように、第１斜材穴部５２と該第１斜材穴部５２より大径の第２斜材穴部５３からなる。
【００３６】
固定棒部材７０は、斜材１１を下側固定部６０に固定するための棒状部材であって、ネジ，ボルト，ピン等の適宜の部材からなる。この固定棒部材７０は、第１斜材穴部５２と後述する第１固定穴部７６もしくは第３固定穴部７８との固定に用いる第１固定棒部材７１と、第２斜材穴部５３と後述する第２固定穴部７７もしくは第４固定穴部７９との固定に用いる第２固定棒部材７２とからなる。実施例では、第１固定棒部材７１が小径の棒状部材であり、第２固定棒部材７２が第１固定棒部材７１より大径の棒状部材である。
【００３７】
固定穴部７５は、下側連結部５０において斜材１１が第１位置となる場合の第１斜材穴部５２及び第２斜材穴部５３に対応する位置に第１固定穴部７６と該第１固定穴部７６より大径の第２固定穴部７７を備え、かつ、下側連結部５０において斜材１１が第２位置となる場合の第１斜材穴部５２及び第２斜材穴部５３に対応する位置に第３固定穴部７８と該第３固定穴部７８より大径の第４固定穴部７９を備える。
【００３８】
下側くさび部材８０は、図８，１０に示すように、下側くさび受け３に係着するものであって、下側連結部５０のくさび保持部６４と梁部６３の間に挿入される下長脚部８１と、下側くさび受け３に挿入される下短脚部８２を備え、下長脚部８１と下短脚部８２により下側くさび受け３と梁部６３とを狭持する。また、下側くさび部材８０では、下長脚部８１をくさび保持部６４と梁部６３の間に挿入した際に下長脚部８１がくさび保持部６４に接触するため、下側連結部２０と下側くさび受け３との係着時の下側くさび部材８０の不用意な位置ずれ等が抑制され下側くさび部材２５の固定性が向上する。図において、符号８３は下長脚部８１と下短脚部８２の間に形成された下脚間部、８４は下長脚部８１の先端に形成された下側くさび部材８０の脱落を防止するための抜け止め部である。
【００３９】
図８及び図１０の主要部正面図を用い斜材１１の第１位置と第２位置の関係を説明する。図８に示す斜材１１の第１位置は、上側くさび部材４０が第１位置であることに伴って下側連結部５０の後側（斜材１１側）に後退されて第１斜材穴部５２と第１固定穴部７６とが重なるとともに第２斜材穴部５３と第２固定穴部７７とが重なる位置であり、足場支柱１，１間の対角線方向上で所定量伸ばされた状態となる。
【００４０】
図１０に示す斜材１１の第２位置は、上側くさび部材４０が第２位置であることに伴って下側連結部５０の前側（足場支柱１側）に前進されて第１斜材穴部５２と第３固定穴部７８とが重なるとともに第２斜材穴部５３と第４固定穴部７９とが重なる位置であり、足場支柱１，１間の対角線方向上で所定量縮められた状態となる。
【００４１】
次に、仮設足場用筋交い１０の設置手順について説明する。設置前の仮設足場用筋交い１０は、第１ピン部材２１を回動軸として斜材１１が水平材１２側へ回動されて、水平材１２と２本の斜材１１，１１が重ね合わさった状態とされる。
【００４２】
ここで、足場支柱１，１の側方に配置された上側くさび受け２ｂ，２ｂ及び下側くさび受け３ｂ，３ｂに仮設足場用筋交い１０を設置する場合、一方の足場支柱１側において、まず、図６に示すように、第１ピン部材２１及び第２ピン部材２２を進退端部３０の溝穴部３１，３２の前側（足場支柱１側）に移動させて上側くさび部材４０を第１位置に前進させ、上側くさび部材４０の上長脚部３３を上側くさび受け２ｂに差し込んで上側くさび脚部４２，４３によって上側くさび受け２ｂを狭持させる。
【００４３】
続いて、他の足場支柱１側においても、同様に上側くさび部材４０を第１位置に前進させて上側くさび受け２ｂに差し込み、上側くさび脚部４２，４３によって上側くさび受け２ｂを狭持させる。両側の上側くさび部材４０，４０が各上側くさび受け２ｂ，２ｂに差し込まれることにより、水平材１２を位置ずれすることなく固定することができる。
【００４４】
次に、一方の足場支柱１において、図８に示すように、下側くさび受け３ｂに対して下側連結部５０の梁部６３を近接させ、下側くさび部材８０の下長脚部８１をくさび保持部６４と梁部６３の間に挿入させるとともに、下側くさび部材８０の下短脚部８２を下側くさび受け３ｂに挿入させる。これにより、下長脚部８１と下短脚部８２により下側くさび受け３ｂと梁部６３が狭持されて、下側連結部５０が下側くさび受け３ｂに固定される。
【００４５】
そして、斜材１１を下側連結部５０の後側（斜材１１側）の第１位置へ後退させ、斜材１１の第１斜材穴部５２と第１固定穴部７６とを重ねるとともに斜材１１の第２斜材穴部５３と第２固定穴部７７を重ねて、第１斜材穴部５２及び第１固定穴部７６に第１固定棒部材７１を挿入させるとともに、第２斜材穴部５３及び第２固定穴部７７に固定棒部材６２を挿入させて、斜材１１を下側連結部５０に対して固定させる。
【００４６】
また、他の足場支柱１側においても、同様に下側くさび部材８０によって下側連結部５０を下側くさび受け３ｂに固定させた後、下側連結部５０に対して斜材１１を第１位置で固定させる。以上により、仮設足場用筋交い１０の上側くさび受け２ｂ，２ｂ及び下側くさび受け３ｂ，３ｂへの設置が完了する。
【００４７】
一方、足場支柱１，１間で相対して配置された上側くさび受け２ｃ，２ａ及び下側くさび受け３ｃ，３ａに仮設足場用筋交い１０を設置する場合、一方の足場支柱１側において、図７に示すように、第１ピン部材２１及び第２ピン部材２２を進退端部３０の溝穴部３１，３２の後側（水平材１２側）に移動させて上側くさび部材４０を第２位置に後退させ、上側くさび部材４０の上長脚部３３を上側くさび受け２ｃに差し込んで上側くさび脚部４２，４３によって上側くさび受け２ｃを狭持させる。
【００４８】
また、他の足場支柱１側においても、同様に上側くさび部材４０を第２位置に後退させて上側くさび受け２ａに差し込み、上側くさび脚部４２，４３によって上側くさび受け２ｂを狭持させて水平材１１を固定させる。
【００４９】
次に、一方の足場支柱１において、図１０に示すように、下側くさび受け３ａに対して下側連結部５０の梁部６３を近接させ、下側くさび部材８０の下長脚部８１をくさび保持部６４と梁部６３の間に挿入させるとともに、下側くさび部材８０の下短脚部８２を下側くさび受け３ａに挿入させる。これにより、下長脚部８１と下短脚部８２により下側くさび受け３ａと梁部６３が狭持されて、下側連結部５０が下側くさび受け３ａに固定される。
【００５０】
そして、斜材１１を下側連結部５０の前側（足場支柱１側）の第２位置へ前進させ、斜材１１の第１斜材穴部５２と第３固定穴部７８とを重ねるとともに斜材１１の第２斜材穴部５３と第４固定穴部７９を重ねて、第１斜材穴部５２及び第３固定穴部７８に第１固定棒部材７１を挿入させるとともに、第２斜材穴部５３及び第４固定穴部７９に固定棒部材６２を挿入させて、斜材１１を下側連結部５０に対して固定させる。
【００５１】
また、他の足場支柱１側においても、同様に下側くさび部材８０によって下側連結部５０を下側くさび受け３ｃに固定させた後、下側連結部５０に対して斜材１１を第２位置で固定させる。以上により、仮設足場用筋交い１０の上側くさび受け２ｃ，２ａ及び下側くさび受け３ｃ，３ａへの設置が完了する。
【００５２】
これまでに図示し説明したように、本発明の仮設足場用筋交いは、水平材に対して上側くさび部材が第１位置と第２位置を進退移動可能に取り付けられていることにより、係着に用いる上側くさび受けの位置の相違に起因して水平材に生じる位置ずれを容易に解消することができる。加えて、下側連結部では、上側くさび部材の第１位置と第２位置の進退移動に対応して斜材を第１位置または第２位置のいずれかの位置で固定可能としたことにより、係着に用いる下側くさび受けの位置の相違に起因して斜材に生じる位置ずれに容易に対応することができる。
【００５３】
また、下側連結部において、固定棒部材と、固定穴部と、斜材穴部とを採用し、比較的単純な構造とすることにより、斜材に生じる位置ずれに容易に対応することができるができる。とりわけ、斜材が第１位置となる場合の第１斜材穴部及び第２斜材穴部に対応する位置に第１固定穴部と第２固定穴部を備え、かつ、斜材が第２位置となる場合の第１斜材穴部及び第２斜材穴部に対応する位置に第３固定穴部と第４固定穴部を備えることにより、斜材が誤った位置で固定されることを防止することができる。加えて、第１斜材穴部と第１固定穴部もしくは第３固定穴部との固定に第１固定棒部材を用い、第２斜材穴部と第２固定穴部もしくは第４固定穴部との固定に第２固定棒部材を用いることにより、固定棒部材の取り違えを防止して安全かつ確実に固定することができる。
【００５４】
さらに、仮設足場用筋交い自体が足場支柱のくさび受けの位置に柔軟に対応できるため、足場支柱のくさび受け選択の自由度を高め、建築物の構造や現場作業に柔軟に対応することができ、さらには、個々の足場支柱のくさび受けの位置に合わせた資材を逐次用意することなくなり、資材量の抑制も可能となる。
【００５５】
なお、本発明の仮設足場用筋交いは、前述の実施例のみに限定されるものではなく、発明の趣旨を逸脱しない範囲において構成の一部を適宜に変更して実施することができる。例えば、実施例では進退端部の溝穴部を水平方向に２つ並設した構成としたが、第１ピン部材及び第２ピン部材が貫通する単一の長穴とする溝穴部としてもよい。
【００５６】
また、実施例では、下側連結部を下側くさび受けに固定させた後に下側連結部に対して斜材を第１位置または第２位置へ固定させたが、予め下側連結部に対して斜材を第１位置または第２位置へ固定させた後に下側連結部を下側くさび受けに固定させるようにしても構わない。
【００５７】
さらに、下側連結部の他の構造として、図１２，１３に示す下側連結部５０Ａのように、下側固定部１００に支持ピン部１０１を設け、斜材１１の下端部１１Ｂに、第１係着部１１１と、第２係着部１１２と、下溝部１１３とを形成するように構成してもよい。以下の説明において、前述の実施例と同一の符号は同一の構成を表すものとして、その説明を省略する。
【００５８】
第１係着部１１１は、支持ピン部１０１が係着されて斜材１１を第１位置で固定するものである。また、第２係着部１１２は、支持ピン部１０１が係着されて斜材１１を第２位置で固定するものである。
【００５９】
下溝部１１３は、支持ピン部１０１が摺動可能なように第１係着部１１１と第２係着部１１２とを連接するものである。実施例では正面視略コ字状に形成され、斜材１１下部先端側（足場支柱１側）の端部に第１係着部１１１、その反対側の端部に第２係着部１１２がそれぞれ斜材１１の軸方向に突出して形成されている。
【００６０】
この下側固定部１００では、斜材１１を第１位置で固定する場合、図１２に示すように、支持ピン部１０１を下溝部１１３に沿って斜材１１下部先端側（足場支柱１側）へ摺動させて第１係着部１１１に係着させることにより、容易に斜材１１を第１位置で固定することができる。また、図１３に示すように、支持ピン部１０１を下溝部１１３に沿って斜材１１下部先端の反対側へ摺動させて第２係着部１１２に係着させることにより、斜材１１を第２位置で固定することができる。従って、下側連結部５０Ａにおいても、前記下側連結部５０と同様に、比較的単純な構造により、斜材に生じる位置ずれに容易に対応することができるができる。
【符号の説明】
【００６１】
１  足場支柱
２（２ａ，２ｂ，２ｃ，２ｄ）  上側くさび受け
３（３ａ，３ｂ，３ｃ，３ｄ）  下側くさび受け
１０  仮設足場用筋交い
１１  斜材
１２  水平材
２０  上側連結部
２１  第１ピン部材
２２  第２ピン部材
３０  進退端部
４０  上側くさび部材
４１  上側くさび本体部
４２，４３  上側くさび脚部
５０  下側連結部
６０  下側固定部
８０  下側くさび部材
【図１】
0005698954.tif 000002
【図２】
0005698954.tif 000003
【図３】
0005698954.tif 000004
【図４】
0005698954.tif 000005
【図５】
0005698954.tif 000006
【図６】
0005698954.tif 000007
【図７】
0005698954.tif 000008
【図８】
0005698954.tif 000009
【図９】
0005698954.tif 000010
【図１０】
0005698954.tif 000011
【図１１】
0005698954.tif 000012
【図１２】
0005698954.tif 000013
【図１３】
0005698954.tif 000014
【図１４】
0005698954.tif 000015